(57)【要約】（表示）装置（３１，４，５）は、例えばディスプレイなどの複数のパネル（３，７）を含む。どのディスプレイも、それ自身のコンテンツを表示するために使用することができ、例えばカートリッジなどのサブハウジング（５）から別々に巻くことができる。異なる構成では、複数のパネルが別個の機能のために使用されるように、又は複数の表示パネルが１つの大きなスクリーンを形成するように、同じカートリッジを配することができる。
2006522359.tif 000002
【特許請求の範囲】
【請求項１】
電子機器とパネル装置とを有する電子アセンブリであって、
前記パネル装置は駆動電子回路を備える第１のパネルを有し、
前記電子機器は、制御パラメータを前記パネル装置とやり取りする手段を備え、
前記パネル装置は、前記電子機器の外側に備えられ、
前記パネル装置は第１の位置と前記パネル装置が少なくとも１つのハウジングを有する第２の位置との間を移動可能であり、
前記ハウジングは、前記第１の位置と前記第２の位置とのうちの一方の位置に前記第１のパネルを有するとともに、前記第１の位置と前記第２の位置との間を移動可能な少なくとも１つの他のパネルを有し、前記第１のパネルおよび前記少なくとも１つの他のパネルのうち、少なくとも１つは巻くことが可能又は折畳み可能である、電子アセンブリ。
【請求項２】
前記電子アセンブリは表示装置を介して情報を表示するのに適しており、前記第１のパネルおよび前記少なくとも１つの他のパネルのうち、少なくとも１つは表示パネルである、請求項１に記載の電子アセンブリ。
【請求項３】
前記ハウジングが個々のパネル用のサブハウジングを有する、請求項１又は２に記載の電子アセンブリ。
【請求項４】
前記サブハウジングの少なくとも一つは第１の軸に沿ってスライド可能である、請求項３に記載の電子アセンブリ。
【請求項５】
前記サブハウジングの少なくとも一つは前記第１の軸に対して回転可能である、請求項４に記載の電子アセンブリ。
【請求項６】
前記サブハウジングは共通のスライド装置を有する、請求項５に記載の電子アセンブリ。
【請求項７】
前記スライド装置は駆動電子回路を有する、請求項６に記載の電子アセンブリ。
【請求項８】
前記第１のパネルおよび前記少なくとも１つの他のパネルは、共通の軸に対して巻くことが可能である、請求項６に記載の電子アセンブリ。
【請求項９】
前記サブハウジングのうちの少なくとも２つは第１の軸に沿って互いに回転可能である、請求項４に記載の電子アセンブリ。
【請求項１０】
少なくとも１つの他のサブハウジングが、前記第１の軸に実質的に垂直な他の軸に対して、回転可能又は折畳み可能である、請求項９に記載の電子アセンブリ。
【請求項１１】
前記サブハウジングは共通の駆動装置を有する、請求項３に記載の電子アセンブリ。
【請求項１２】
前記駆動装置は回転可能である、請求項１１に記載の電子アセンブリ。
【請求項１３】
前記ハウジングは少なくとも２つのパネルを有し、各別個のパネルは別個の軸から巻くことが可能である、請求項１又は２に記載の電子アセンブリ。
【請求項１４】
前記パネル装置および前記電子機器は、機械的に相互接続されている、又は機械的に相互接続可能である、請求項１又は２に記載の電子アセンブリ。
【請求項１５】
前記パネル装置の駆動電子回路および前記電子機器の電子回路は、電磁結合によって相互接続可能である、請求項１又は２に記載の電子アセンブリ。
【請求項１６】
前記電子機器は、前記パネル装置の少なくとも１つのアプリケーションを選択するためのコントローラを有し、前記電子機器は、前記アプリケーションに関連する少なくともパネルパラメータを記憶するメモリ手段と、前記パネルパラメータを前記電子機器と前記パネル装置との間のインターフェースに供給する手段とを更に有する、請求項１又は２に記載の電子アセンブリ。
【請求項１７】
駆動電子回路が備えられる第１のパネルを有するパネル装置であって、前記第１のパネルは第１の位置と前記パネル装置が少なくとも１つのハウジングを有する第２の位置との間を移動可能であり、前記ハウジングは、前記第１および第２の位置のうちの一方の位置に前記第１のパネルを有するとともに、第１の位置と第２の位置との間を移動可能な少なくとも１つの他のパネルを有し、前記第１のパネルおよび前記少なくとも１つの他のパネルが巻くことが可能又は折畳み可能である、パネル装置。
【請求項１８】
前記ハウジングは、各別個のパネル用のサブハウジングを有する、請求項１７に記載のパネル装置。
【請求項１９】
前記サブハウジングのうちの少なくとも１つは、第１の軸に沿ってスライド可能である、請求項１８に記載のパネル装置。
【請求項２０】
前記サブハウジングのうちの少なくとも１つは、前記第１の軸に対して回転可能である、請求項１９に記載のパネル装置。
【請求項２１】
前記サブハウジングは共通のスライド装置を有する、請求項２０に記載のパネル装置。
【請求項２２】
前記スライド装置は駆動電子回路を有する、請求項２１に記載のパネル装置。
【請求項２３】
前記パネルは共通軸に対して巻くことが可能である、請求項１９に記載のパネル装置。
【請求項２４】
前記サブハウジングの少なくとも２つは、第１の軸に沿って互いに回転可能である、請求項１９に記載のパネル装置。
【請求項２５】
少なくとも１つの他のサブハウジングは、前記第１の軸に実質的に垂直な他の軸に対して回転可能又は折畳み可能である、請求項２４に記載のパネル装置。
【請求項２６】
前記サブハウジングは共通の駆動装置を有する、請求項１８に記載のパネル装置。
【請求項２７】
前記駆動装置は回転可能である、請求項２６に記載のパネル装置。
【請求項２８】
前記ハウジングは少なくとも２つのパネルを有し、各別個のパネルは別個の軸から巻くことが可能である、請求項１７に記載のパネル装置。
【請求項２９】
少なくとも２つのパネル用のハウジングであって、前記少なくとも２つのパネルは、第１の位置と第２の位置との間で巻くことが可能又は折畳み可能であり、前記ハウジングは前記第１の位置と前記第２の位置とのうちの１つに前記少なくとも２つのパネルを有する、ハウジング。
【請求項３０】
前記ハウジングは、各別個のパネル用のサブハウジングを有する、請求項２９に記載のハウジング。
【請求項３１】
前記サブハウジングのうちの少なくとも１つは第１の軸に沿ってスライド可能である、請求項３０に記載のハウジング。
【請求項３２】
前記サブハウジングのうちの少なくとも１つは前記第１の軸に対して回転可能である、請求項３１に記載のハウジング。
【請求項３３】
前記サブハウジングは共通のスライド装置を有する、請求項３２に記載のハウジング。
【請求項３４】
前記スライド装置は、駆動電子回路を有する、請求項３３に記載のハウジング。
【請求項３５】
前記サブハウジングは共通の軸を有する、請求項３１に記載のハウジング。
【請求項３６】
前記サブハウジングのうちの少なくとも２つは、第１の軸に沿って互いに回転可能である、請求項３１に記載のハウジング。
【請求項３７】
前記サブハウジングのうちの少なくとも１つは、前記第１の軸に実質的に垂直な他の軸に対して回転可能又は折畳み可能である、請求項３６に記載のハウジング。
【請求項３８】
前記サブハウジングは共通の駆動装置を有する、請求項３１に記載のハウジング。
【請求項３９】
前記駆動装置は回転手段を有する、請求項３８に記載のハウジング。
【発明の詳細な説明】
【技術分野】
【０００１】
本発明は、電子機器とパネル装置とを有する電子アセンブリであって、前記パネル装置は駆動電子回路を備える第１のパネルを有し、前記電子機器は制御パラメータを前記パネル装置とやり取りする手段を備えた電子アセンブリに関する。
【０００２】
本発明は、更に、斯かる機器に使用されるパネル装置と、少なくとも２つの斯かるパネル用のハウジングとに関する。
【背景技術】
【０００３】
パネル装置は、タッチスクリーンとすることができ、又は、光干渉変調器およびルミネセント表示装置等の、液晶表示装置、エレクトロクロミック表示装置、電気泳動表示装置、および反射表示装置のグループの一つに属する表示装置とすることができる。表示装置は、パッシブマトリックス表示装置又はアクティブマトリックス表示装置とすることができる。斯かるアクティブマトリックス表示装置の例は、ＴＦＴ−ＬＣＤ又はＡＭ−ＬＣＤ、（Ｏ）ＬＥＤ装置であり、これらはラップトップコンピュータおよびオーガナイザに使用されるが、ますます広い用途がＧＳＭ電話にも見つけられている。
【０００４】
斯かるマトリックスディスプレイは、一般には、ＴＦＴ（ＭＯＳ）トランジスタなどのスイッチを通じて選択ライン又は行（のグループ）を周期的にアドレスする選択ラインによってアドレスされ、同時にデータ（電圧）はデータライン又は列（のグループ）を通じて供給される。そこで、「制御パラメータ」はこれらの駆動信号を有することが意図されているが、表示装置（モジュール）と電子機器との間の他のインタフェース信号を有することもできる。同様の見解は、タッチパネルの制御およびセンシング、又は例えばフロントライトパネル、バックライトパネル、３Ｄ効果を制御するパネルなどの、電子機器とともにインターフェースモードで使用される他のパネルの制御およびセンシングにも当てはまる。多くのアプリケーションに対して、これは好ましくは標準インターフェースとすべきである。これは、例えば、垂直同期パルス、水平同期パルス、クロック信号などのような信号を有することができる。これは、サイズおよび解像度に関する情報、又はアプリケーションに関する他の関連する情報（色又は白黒）を有することもできる。
【０００５】
今日では、ラップトップコンピュータおよびオーガナイザのような多くのアプリケーションでは（もちろん、ＧＳＭ電話でも）、携帯（表示）装置が好まれる。しかし、大部分のディスプレイはいくぶん壊れやすいシステムであるので、携帯性はディスプレイを破壊する機会がより多いという犠牲を払っている。しかし、ポータブル装置から壊れたディスプレイを交換するコストは法外に高いので、通常、装置は完全に取り替えられる。機能の９９％はまだ利用可能であるので、これは資源のむだ使いである。高いコストの理由は、２つある。１つ目は、ディスプレイに付加的強度を与えるために、ディスプレイは装置内に作られる。その結果として、ディスプレイを取り除くことは、装置を壊すことを伴なう。２つ目は、一旦ディスプレイが取り除かれると、新しいディスプレイは装置に位置決めされなければならず、多数の接続（数万個所から１００万個所以上）を考えると、これは複雑な作業である。
【０００６】
これらのアプリケーションの一部には、見るという主用途を損なうことなく、１つ以上の表示機能を利用できるようにする、例えば補助的機能（辞書、特定のデータベース等のようなもの）を利用できるようにする可能性を有する必要性も感じられる。特に、（小さい）モバイル電子機器を使用するとき、これは、これらの機能を非常に小さな領域に表示するということになる。
【０００７】
他のアプリケーション、特に携帯電話では、装置内で利用可能な領域よりも大きい表示領域を有する必要性が感じられる。巻型ディスプレイの導入は、この必要性を解決した。巻型ディスプレイに移行する場合、上記の保護手段を省略しなければならないが、基板は概して非常に薄くなっており、したがって傷つきやすくなっている。
【発明の開示】
【発明が解決しようとする課題】
【０００８】
本発明の目的の一つは、上記の問題を少なくとも部分的に克服することである。
【課題を解決するための手段】
【０００９】
この目的のため、本発明による第１の電子機器では、前記パネル装置は、前記電子機器の外側に備えられ、前記パネル装置は第１の位置と前記パネル装置が少なくとも１つのハウジングを有する第２の位置との間を移動可能であり、前記ハウジングは、前記第１の位置と前記第２の位置とのうちの一方の位置に前記第１のパネルを有するとともに、前記第１の位置と前記第２の位置との間を移動可能な少なくとも１つの他のパネルを有し、前記第１のパネルおよび前記少なくとも１つの他のパネルのうち、少なくとも１つは巻くことが可能又は折畳み可能である。
【００１０】
幾つかのパネルは、パネルに表示される機能を妨げずに使用することができ、これによって上記の問題が克服される。また、上記パネルの１つ以上が、タッチスクリーン又はキーボードの機能のような入力機能を有することができる。
【００１１】
パネルは、一般的に、パネルが実質的に見えない第１の位置とパネルの少なくとも一部が見える第２の位置との間を移動可能である。中間の異なる位置を利用することもできる。
【００１２】
「実質的に見えない」ことは、パネルの大部分がハウジング内に存在したりパネルが折畳み位置又は巻上げ位置に存在したりするので実際のパネルの大部分が人間の目に見えないことを意味する。「パネルの部分」という文言は表示パネルの可視部分に関連したものである必要はない。（表示）パネルは、折畳み可能なものと巻くことが可能なものとの両方として実現でき、この場合、例えば、分離した（表示）パネルを担持する基板を折畳み位置に転がして広げ、その後に折り畳まれたものが広げられる。
【００１３】
本発明は、パネル又はディスプレイを強固にするのではなく、パネル又はディスプレイがハウジング又はサブハウジング（例えば、カートリッジ）内で利用でき、このパネル（ディスプレイ）（およびハウジング又はサブハウジング）は、パネル（ディスプレイ）が機能しなくなった後で廃棄できるという洞察に基づいている。これは、（例えば、組み込まれた行ドライバおよび列ドライバを含む）フレキシブルパネル（ディスプレイ）が使用され安価な「塑性の電子装置」が利用可能になる場合、もっと魅力的である。（表示）パネルをハウジング又はサブハウジング内に備えることによって、斯かるハウジング又はサブハウジング内の駆動回路の量が最小になり、使い捨て（表示）パネルを使用することがもっと魅力的なものになる。
【００１４】
1つ以上のパネルをハウジングに備えることによって、上記の可能性をもたらす機能性が更に増大する。
【００１５】
ハウジングは筐体内に備えておくことができる。ハウジング（又はサブハウジング）を筐体内に固定する固定手段は、スピンドル機構、クリッキング機構、磁気的固定、及び接着剤のグループから選択することができる。これは、斯かる筐体内に（一時的に）備えることができる使い捨て表示パネルを備える道を開く。
【００１６】
パネル装置および電子機器は、使われ方に依存して、機械的に相互接続することができ又は機械的に相互接続可能とすることができる。ワイヤレス通信も可能である。これは、斯かるパネル（表示）装置の1つ以上の機器での使用を可能とし、ローディングバッジ、クレジットカード、又は同様の装置のように、斯かる装置にデータをロードする可能性を開く。
【００１７】
好ましい実施形態は、各個別のパネル用のサブハウジングを有するハウジングを備える。
【００１８】
サブハウジングのうちの1つが、中心軸に沿ってスライド可能である（および、好ましくは、この中心軸に対し回転可能でもある）場合、非常にコンパクトなカートリッジ状の装置を得ることができる。
【００１９】
一実施形態では、スライド装置は駆動電子回路を有し、複数のサブハウジングは共通のスライド装置を有することができる。
【００２０】
好ましい実施形態では、少なくとも２つのパネルを有するハウジングを備え、各別個のパネルは別個の軸により巻くことが可能である。斯かる装置では、好ましくは、回転可能な駆動装置が使用される。
【００２１】
本発明のこれらおよび他の態様は、以下に記載の実施形態から明らかであり、これら実施形態を基準にして説明される。
【００２２】
図は概略的であり、一律の縮尺に従わずに描かれている。対応する要素は、一般に、同じ符号で示されている。
【発明を実施するための最良の形態】
【００２３】
図１は、斯かるディスプレイパネルの第１の種類のアプリケーションでの使用を示す。図１ａには、１つの典型例、即ち、ディスプレイを装置１（この例では携帯電話）に使用した例が与えられている。携帯電話の典型的なディスプレイ（パネル）は、例えば２ｃｍ×３ｃｍの大きさを有し、一方、携帯電話自体は、例えば４ｃｍ×１０ｃｍの大きさを有する。パネル装置２は、ハウジング４、５、３１内に備えられる巻型ディスプレイ３を有し、相互接続ピン６を通じて携帯電話（装置１）に相互接続することができる。この例でのハウジングは異なる２つの部品４、５を有し、この例でのディスプレイパネル３は、巻かれた形態ではサブハウジング５内に位置し、部品４は他の駆動電子回路および例えばバッテリを有する。図１ｂは、広げられたディスプレイ３を示し、このディスプレイ３は例えば１０ｃｍ×１５ｃｍの大きさを有する。図１ｂでは、広げられたディスプレイ３は相互接続ピン６を介して携帯電話（装置１）に相互接続される。しかし、アプリケーションの大部分は機械的接触を使用しなくなっているので、即ち、ますます多くの情報は電磁結合を介してやり取りされているので、これは単に例証である。ハウジング４、５は、交換可能なパネル（例えば、アプリケーションの種類に依存する別のサイズのパネル、又は交換パネル）の使用が可能なように実現することができる。
【００２４】
本発明によれば（図２ａ）、パネル装置は、他のパネル７、この例では交換可能タッチパネル７も有し、両方のパネル３、７は、巻かれた形態では、やはりサブハウジング５内に位置する。ある種類のアプリケーションでは、タッチパネルは、キーボードボタン又は電話のタッチボタンに相当するタッチ接触部９を有する（タイピング目的の）キーボードである。別の種類のアプリケーションは図２ｂに示されており、この図２ｂにおいて、二人の観察者８、８’はタッチパネル７、７’の指揮権を有し、結果が表示画面３、３’に示される。両方のタッチパネル７、７’は中央制御装置と通信し、異なる観察者による双方向使用を可能とする（必要であれば、装置１を介して）。これにより、パネル装置２を例えばゲームで使用することができる。
【００２５】
交換可能表示装置又は表示パネルを有する利点の１つは、規格化が合意に至れば（ディスプレイサイズ、必要であればハンドシェークプロトコル）、交換可能表示装置又は表示パネルを幾つかの装置に使用できることである。
【００２６】
図３は、本発明による可能な（表示）パネル３の一部の電気的等価回路図である。これは、可能な一実施形態において（「パッシブモード」と呼ばれる、１つの駆動モード）、行電極又は選択電極と列電極又はデータ（検出）電極との交差部の領域に画定される画素又はタッチエレメントのマトリックスを有する。行電極は行ドライバ１１によって（相互接続パターン１３を介して）連続的に選択され、列電極はデータレジスタ１２を介してデータが供給される。一方、データレジスタ１２はパネルがタッチパネルとして使用されるとき検出電子回路を含むことができる（一方で、この検出電子回路の一部を装置１又はハウジング４で実現することができる）。例えば、電子回路を（部分的に）ハウジング４に実現し、一方、表示パネルは幾つかの簡単な電子回路のみを有するというような組み合わせた解決策がもちろん可能である。
【００２７】
この目的のため、行ドライバと導電パッド３７との間の他の相互接続部１３、およびデータ（検出）レジスタと導電パッド３７との間の他の相互接続部１３は、フレキシブル基板１０上に備えられる。符号１４は、実際の表示領域又はタッチ領域を表す。
【００２８】
別の可能な実施形態では（「アクティブモード」と呼ばれる別の駆動モード）、行ドライバからの信号は薄膜トランジスタ（ＴＦＴ）を通じて画素又は検出エレメントを選択する。この薄膜トランジスタのゲート電極は行電極に電気的に接続され、一方、この薄膜トランジスタのソース電極は列電極に電気的に接続されている。表示装置を駆動するこれらの方法は、当技術分野において一般に知られている。当技術分野で一般に知られている他のモードでも、斯かるマトリックス装置をタッチパネルとして使用して、他の検出スキームを用いてタッチングを検出することができる。
【００２９】
図４は、基板１０の一部がサブハウジング５内にどのように固定されているかを概略的に示す。この例のサブハウジング５は、フレキシブル（表示）基板１０を巻き上げる（ばね式）巻き装置１７を有する。
【００３０】
支持ヒンジ１６は、全体の構造の機械的安定性を補強することができる。さらに、この例では、巻き取られた位置にディスプレイが存在するときにハウジング部４、５を一緒にロックするためのロック機構１９が概略的に示されている。（フレキシブル）表示装置３，１０，１４をロックから再び解放するために、ハウジング部４はプッシュボタン１８を有する。
【００３１】
この例のハウジング部４は、プリント回路基板２０を有する。プリント回路基板上には、ドライバチップ２１とインタラクティブプッシュボタン１８（又は他のインタラクション装置）への電気的相互接続部２２とが、（導体２３を通じて）コンタクトパッド３８のアレイに接触する相互接続部２２と一緒に備えられ、このコンタクトパッド３８はコンタクトパッド３７と接触することができる。コンタクトパッドを、（ここに示されているように）ディスプレイホイルの両側に又は一方の側にのみ位置させることができる。また、このハウジング部４は、他のチップ、バッテリ、および特にアンテナを有することができ、これにより、電気的接続部２５に代わって、例えば装置１と表示装置２との間のＲＦリンクを可能にし、又は図４に描かれている接続部６に代わって、表示装置２と表示パネル３との間のＲＦリンクを可能にすることに注意すべきである。特に、プリント回路基板２０上のドライバチップ２１又は他の回路は、情報の交換に関する（標準）プロトコル（例えば、（異なる数のライン、異なる数の列などを有する）異なる種類の表示パネルを異なる種類の装置に使用するやり方）の実現のために使用することができる。一方、装置１にできるだけ多くの制御回路を備えることが有用であろう。
【００３２】
この例では、ハウジング部４は２つの部分４ａ、４ｂを有し、接続部６を導体２３に接触させるために、この２つの部分の間に表示パネル１４（フレキシブル基板１０）をクランプすることができる（この例では、両側の接触が示されている）。別の実施形態では、ハウジング４は表示パネルを収容部に受け入れるためスリットのみを有することができる。コンタクトパッドは、基板１０の位置決め凹部（孔２４）若しくは位置決めくぎ（alignment peg）、又は適切な位置決めのための任意の光学的若しくは機械的フィードバック機構により、ディスプレイのコンタクト領域に位置決めされる。ディスプレイは典型的には数個のコンタクトパッドしか含まないので、これらのコンタクトは大きくすることができ、したがって粗い位置合わせで十分である。
【００３３】
サブハウジング５は、（フレキシブル）表示基板１０を巻き上げる巻き装置１７を含む。この例におけるサブハウジング５も、２つの部分５ａ、５ｂを有する。この機構は、ディスプレイパネル１４（フレキシブル基板１０）が完全に広げられたときに開くことができるように設計されている。２つの部分５ａ、５ｂを分離することによって、２つの部分５ａ、５ｂが分離している間はばね式巻上げ機構が巻き戻しできないように、その機構がロックされる。この完全に広げられた位置において、表示パネル３を取り込むための（図４の巻き装置１７の）凹部２６は、例えば下を向いている。表示パネル３は、それを巻上げ方向に移動することによって（スプリングがディスプレイを巻き上げる結果として、通常動作の間ディスプレイを保持し）つかむフック２７（図４の凹部２６内）から外すことができる。このフックからの取り外しを行うために、巻上げ機構はロックされ、次いで新しいディスプレイ（ホイル）をフック２７に掛けることができる（このフック２７は、ディスプレイの孔２８と協働して位置決め手段としての役割も果たす。図３参照）。２つの部分を閉じると、ばねは解放され、新しいディスプレイが再び巻き上げられる。
【００３４】
図４において、他のサブハウジング５’は、この例では反対のケースに向けて巻かれる（フレキシブル）タッチ基板１０、７を巻き上げる同様のローリング装置を含む。このようにして、図２ａの装置２が実現される。
【００３５】
上に示される実施形態では、巻くことができるパネル部３、７を見えるようにするとき、サブハウジング５はハウジング部４から分離されるが、図５から分かるように、別の実施形態では、サブハウジング５のグループがハウジング部４に沿って置かれ、パネル部３，７を矢印３０で示されるようにサブハウジングから引き出すことができる。図５の装置は４つのサブハウジング５を有し、各サブハウジングは巻き装置１７を含み、この巻き装置は図４を基準にして既に詳細に記載された。サブハウジング５およびハウジング部４のアセンブリは、この例では共通のハウジング３１を有する。サブハウジング５およびハウジング部４は断面が四角形で描かれているが、例えば写真のフィルム断面又はインクジェットカートリッジの断面と類似の円形断面又は他の断面とすることもできる。図５の装置は、図２ｂを基準に記載されたような機能に適している。
【００３６】
図６は、ハウジング部４およびサブハウジング５を有する装置を示し、サブハウジングは円形の断面を有する。図６（ａ）の実施形態では、各パネルは、図４を基準にして記載されたような駆動セクション４０を有する。図６（ｂ）の実施形態は、共通の駆動セクション４１を有する。共通の駆動セクション４１は、軸４２を中心に回転することができる。この例では、駆動セクション４１は、円柱体４３上にドライバチップ２１を有する。特定の点への回転によって、ドライバチップ２１とパネル３、７上の導電パッド３７との間に、ばね接触部４４を介して電気的接触が得られる。
【００３７】
図７及び８の装置は、パネル３、７を有する２つのサブハウジング５を有する。この場合、一方又は両方のサブハウジング５を軸４５に対してスライドさせることができる。これは、この例では、ハウジング部４用のスペース４９を有する円柱ハウジング４６により、達成される。
【００３８】
スライドさせた後（図９（ａ）の矢印４７参照）、サブハウジング５のうちの１つが軸４５を中心に回転し（図９（ｂ）の矢印４８参照）、（表示装置の場合）両方の表示機能がビューア８に向けられる二部表示装置を得る。これらのパネルのうちの１つが表示機能の代わりにタッチ機能を有していてもよいことは、言うまでもない。この例では、ハウジング部４は、引張りグリップとしても機能する。異なるサブディスプレイに対する情報検索は、集中式（全てのハウジング部４が円柱ハウジング４６に存在しているとき（円柱ハウジング４６も駆動電子回路を有することができる）、図８には示されていない電磁放射又は電気機械的接触によって円柱ハウジング４６又はハウジング部４の駆動電子回路に情報を供給することができる）又は非集中式（ハウジング部４は円柱ハウジング４６に存在する必要がない。情報は電磁放射によってハウジング部４に供給される）で行われる。
【００３９】
図１０の装置は、ヒンジ５０を用いて図面に垂直な軸を中心に折り畳まれる（図１０の矢印５３参照）２つのサブハウジング５を示す。各セットが斯かるサブハウジング５のうちの２つのサブハウジングの組５１を２つ折り畳むことによって（セット５１は、図面の面内で軸５２を中心に折り畳むことができる）、ヤードスティック上の構造が得られる（図１１）。この例では、先ずセット５１を広げ（図１１の矢印５３参照）、次いで各セットのサブハウジング５を広げる（図１１の矢印５４）ことによって、互いに重なる４つのパネルを示す装置が得られる。
【００４０】
図１２のサブハウジング５は、２つの離れた軸５５を用いて、（表示）基板１０（例えば、表示画面およびタッチ画面）を巻き上げるための２つの巻き装置１７を含む。
【００４１】
図１３及び図１４は、他の実施形態の図および断面をそれぞれ概略的に示しており、この実施形態では、ハウジング部４、５は円柱の断面を有し、一方で（実質的に）広げられた状態の３つのハウジング部４、５（図１４において２つ）は、中心軸６０を中心に互いに取り付けられている。ハウジング部４，５を引き出した後又はスライドさせた後、パネル１０を広げることができ、３つの異なる（表示）パネルの組合せ（図１３の例）が提供される。
【００４２】
ハウジングの規格が合意される場合、および情報の交換に関する（標準）プロトコルが存在する場合（例えば、（ラインの数、列の数が異なる等の）異なる種類の表示パネルを異なる種類の装置に使用するやり方）、これらのアプリケーションはもちろん最も魅力的である。
【００４３】
本発明の保護範囲は、記載された実施形態には限定されず、本発明は、他のディスプレイ装置（例えば、（Ｏ）ＬＥＤディスプレイ）、および他のハウジング装置にも適用可能である。
【００４４】
一方、電子機器１は、（異なるラインの数、異なる列の数などを有する）異なる種類の（表示）パネルを有する異なるアプリケーション（例えば、電話アプリケーションと計算器アプリケーション）に適しているだろう。表示パネルは、異なる技術、例えば或る表示パネルに対しては（Ｏ）ＬＥＤ技術、別の表示パネルに対してはＬＣＤ技術で実現することもできる。
【００４５】
多くの可能なアプリケーションにおいて、広げられた表示領域が一方の側から可視である必要はない。一方、巻型表示パネルは、反対側から見えるようにすることができる。
【００４６】
また、装置とディスプレイ（の一部）との間の相互接続は、示されているような電子機械的な種類のものである必要はない。表示装置又は表示パネルにデータを供給するために電磁結合（赤外線）を使用することができる。
【００４７】
巻くことが可能な基板（フィルム）をハウジングに取り付ける又はサブハウジング５を備えるために、当技術分野で既知の幾つか機構を使用することができる。
【００４８】
本発明は、全ての新規な特徴的フィーチャおよび特徴的フィーチャの全ての組合せに存在している。動詞「有する」およびその活用形の使用は、請求項に記載されている以外の構成要素の存在を排除するものではない。単数の構成要素を使用していることは、斯かる構成要素の複数の存在を排除するものではない。
【図面の簡単な説明】
【００４９】
【図１】巻型ディスプレイ装置のモバイルアプリケーションでの使用を示す。
【図２】本発明による取替可能なディスプレイパネルおよび／又はタッチパネル付きのパネル装置を有する本発明の実施形態を示す。
【図３】本発明による巻型ディスプレイパネルおよび／又はタッチパネルの一部の電気的等価物である。
【図４】本発明による装置のハウジングを示す。
【図５】図２に示すようなアプリケーションを実現する本発明による装置の実施形態を示す。
【図６】図２に示すようなアプリケーションを実現する本発明による装置の実施形態を示す。
【図７】本発明による装置の他の実施形態を示す。
【図８】本発明による装置の他の実施形態を示す。
【図９】本発明による装置の他の実施形態を示す。
【図１０】本発明による装置の更に他の実施形態を示す。
【図１１】本発明による装置の更に他の実施形態を示す。
【図１２】本発明による別の装置のハウジングを示す。
【図１３】本発明による装置の更に他の実施形態を示す。
【図１４】本発明による装置の更に他の実施形態を示す。
2006522359.tif 000003
2006522359.tif 000004
【図３】
2006522359.tif 000005
【図５】
2006522359.tif 000006
【図４】
2006522359.tif 000007
2006522359.tif 000008
【図７】
2006522359.tif 000009
【図８】
2006522359.tif 000010
2006522359.tif 000011
【図１０】
2006522359.tif 000012
【図１２】
2006522359.tif 000013
【図１１】
2006522359.tif 000014
【図１３】
2006522359.tif 000015
【図１４】
2006522359.tif 000016
【国際調査報告】
2006522359.tif 000017
2006522359.tif 000018